(57)【特許請求の範囲】
【請求項１】
バックル本体と、バックル本体に挿入されて係脱自在に係止されるタング部を有するタング部材とを備え、バックル本体に設けられた表示窓に、バックル本体とタング部材との係止状態および非係止状態でそれぞれ出現する異なる標識を備えたインジケータ付きバックル装置において、
前記バックル本体に収納され、前記タング部の前記挿入時にタング部と当接して退避移動されるイジェクタと、
前記イジェクタの前記退避移動の方向に対向してバックル本体内に固定されたバネ受体と、
一端部が前記イジェクタに支持されると共に他端部が前記バネ受体に支持され、前記イジェクタをタング部の押出方向に弾発付勢する押出バネ部材と、
前記係止状態から前記非係止状態に解除操作するための解除操作装置とを備え、
前記バネ受体に、前記表示窓に対向する位置に配置されると共に、前記非係止状態で前記表示窓に出現する第１の標識が備えられ、
前記イジェクタに、前記第１の標識と異なる色彩もしくは文様を有すると共に、前記退避移動により前記第１の標識上にスライド移動され、かつ前記係止状態で前記表示窓に出現する第２の標識が備えられ、
前記解除操作装置に、前記イジェクタが、解除操作装置の前記解除操作に対して相互干渉を回避する回避間隙を有し、かつ前記スライド移動方向のみに移動自在に支持されたことを特徴とするインジケータ付きバックル装置。
【請求項２】
前記第２の標識は、前記表示窓との対向面が凹面状に形成されてなることを特徴とする請求項１記載のインジケータ付きバックル装置。
【発明の詳細な説明】
【０００１】
【発明の属する技術分野】
本発明は、チャイルドシート等に使用されるインジケータ付きバックル装置の改良に関するものである。
【０００２】
【従来の技術】
近年、自動車による交通事故等の際に、乗車している年少者を傷害から防護し、または傷害を軽減すべく、自動車のシート上に取り付けるチャイルドシートが使用されている。
【０００３】
この種のチャイルドシートに採用されているシートベルト装置としては、例えば、チャイルドシートの座部の前側中央に股ウエビングの一端部が固定され、この股ウエビングの他端部にバックル本体が取り付けられている。また、チャイルドシートの座部に座った年少者の肩や腰に装着される一対のウエビングには、タング部材がそれぞれ取り付けられている。そして、これらタング部材をバックル本体に挿入することにより、互いに係脱自在に係止するように構成されている。
【０００４】
この種の係脱自在なバックル装置として、例えば、特許第２５０２０３１号公報に開示のものがあり、特に、タング部材としての舌部材にインジケータ手段を備え、バックル本体としての留金部材に舌部材が係止された状態においては、インジケータ手段の開口部に第１の標識が表示され、留金部材と舌部材との係止状態が解除されて互いに離脱された非係止状態においては、前記第１の標識とは異なる第２の標識が開口部に表示され、留金部材と舌部材との係止状態・非係止状態が視覚的に確認できる構造とされていた。
【０００５】
【発明が解決しようとする課題】
しかしながら、上記従来公報に開示のインジケータ付きのバックル装置によれば、細長状のインジケータ部材の長手方向に沿って第１の標識と第２の標識とがそれぞれ設けられ、インジケータ部材が長手方向に移動することにより、開口部の位置に第１の標識もしくは第２の標識が択一的に移動して表示が切り替えられるように構成されていた。
【０００６】
従って、表示の切り替えにおいて、開口部に表示されない標識がインジケータ部材の長手方向に沿った反対側にそれぞれ退避するスペースが必要とされ、インジケータ部材の移動ストロークを十分に確保する必要があり、インジケータ手段のコンパクト化が困難で、バックル装置においてインジケータ手段を設けるエリアが大きく制限されるという問題があった。
【０００７】
また、表示された標識がより識別しやすいように、開口部を大きく形成すると移動ストロークもより大きくなり、インジケータ手段を設けるエリアがより大きく制限され、バックル装置自体のコンパクト化が要求される中で、バックル装置としての本来の機能を妨げることなくコンパクトに組み付けることが困難となっていた。
【０００８】
そこで、本発明は上記問題点に鑑み、表示位置の制限緩和を図ったコンパクトなインジケータ付きバックル装置を提供することを目的とする。
【０００９】
【課題を解決するための手段】
上記課題を達成するための技術的手段は、バックル本体と、バックル本体に挿入されて係脱自在に係止されるタング部を有するタング部材とを備え、バックル本体に設けられた表示窓に、バックル本体とタング部材との係止状態および非係止状態でそれぞれ出現する異なる標識を備えたインジケータ付きバックル装置において、前記バックル本体に収納され、前記タング部の前記挿入時にタング部と当接して退避移動されるイジェクタと、前記イジェクタの前記退避移動の方向に対向してバックル本体内に固定されたバネ受体と、一端部が前記イジェクタに支持されると共に他端部が前記バネ受体に支持され、前記イジェクタをタング部の押出方向に弾発付勢する押出バネ部材と、前記係止状態から前記非係止状態に解除操作するための解除操作装置とを備え、前記バネ受体に、前記表示窓に対向する位置に配置されると共に、前記非係止状態で前記表示窓に出現する第１の標識が備えられ、前記イジェクタに、前記第１の標識と異なる色彩もしくは文様を有すると共に、前記退避移動により前記第１の標識上にスライド移動され、かつ前記係止状態で前記表示窓に出現する第２の標識が備えられ、前記解除操作装置に、前記イジェクタが、解除操作装置の前記解除操作に対して相互干渉を回避する回避間隙を有し、かつ前記スライド移動方向のみに移動自在に支持された点にある。
【００１０】
また、前記第２の標識は、前記表示窓との対向面が凹面状に形成されてなる構造としてもよい。
【００１１】
【発明の実施の形態】
以下、本発明のインジケータ付きバックル装置にかかる実施形態を図面に基づいて説明すると、図１はクッション材等を省略した乳児用のチャイルドシート１の斜視図を示しており、チャイルドシート１の座部２の前側中央に股ウエビング３の一端部が固定され、この股ウエビング３の他端部にバックル本体４が取り付けられている。また、チャイルドシート１の座部２に座った年少者の左右の肩にまたがってそれぞれ装着される肩ウエビング５、６の端部には、タング部材７、８がそれぞれ取り付けられている。そして、これらタング部材７、８をバックル本体４内に挿入することにより、互いに係脱自在に係止するように構成されている。
【００１２】
また、両肩ウエビング５、６はチャイルドシート１の背もたれ部９で、背面側に引き出され互いに連結状とされている。そして、その連結状とされた部分に長さ調整用ウエビング１０の一端部が連結され、長さ調整用ウエビング１０の他端部が座部２の下側を通じてチャイルドシート１前部の引出部からアジャスタ１１を介して引き出されている。
【００１３】
このアジャスタ１１は、長さ調整用ウエビング１０を解除自在に挟持して長さ調整用ウエビング１０を固定するもので、長さ調整用ウエビング１０の引出量を調整した後、長さ調整用ウエビング１０をアジャスタ１１で固定すれば、背もたれ部９の前側に引き出される両肩ウエビング５、６の長さを所望に調整できるように構成されている。
【００１４】
本バックル装置は、図２ないし図２６にも示される如く、左右のタング部材７、８と、タング部材７、８が挿入されるバックル本体４と、バックル本体４に収納されてタング部材７、８に係止されるフック部材１４およびタング部材７、８を押し出すイジェクタ１５とを備える。
【００１５】
各タング部材７、８は灰色に着色された樹脂等によりそれぞれ成形されてなり、図２ないし図５および図８に示される如く、一方に肩ウエビング５、６がそれぞれ挿通状として取付固定されるウエビング挿通孔７ａ、８ａを有するウエビング取付部７ｂ、８ｂを備え、他方にバックル本体４内に挿入されるタング部７ｃ、８ｃが備えられている。
【００１６】
各タング部７ｃ、８ｃは互いに重合可能な略平板状に形成されており、重合状態での位置ズレを規制すべく、下側のタング部８ｃの上面には、幅方向に適宜長さを有する位置決め用長溝８ｄが形成されると共に、タング部８ｃの挿入側端縁に幅方向に離隔して一対の位置決め用突起８ｅが突設されている。一方、対向する上側のタング部７ｃの下面には、前記位置決め用長溝８ｄに嵌脱自在に嵌合される位置決め用突条７ｄが突設されると共に、前記両位置決め用突起８ｅが嵌合係止される位置決め用段部７ｅが形成されている。
【００１７】
なお、各タング部７ｃ、８ｃを重合させる際、ウエビング取付部７ｂ、８ｂが互いに干渉しないように、各タング部７ｃ、８ｃの一側方にそれぞれ偏倚してウエビング取付部７ｂ、８ｂが備えられている。
【００１８】
また、下側のタング部８ｃの下面には、フック部材１４に備えられたフック部１４ａが係脱自在に係止する係止部としての幅方向に適宜長さを有する係止溝８ｆが形成されると共に、ウエビング取付部８ｂ側の幅方向中央部に、バックル本体４におけるタング挿入口４ａの幅方向中央部下部に形成された位置合わせ凹部４ｂに嵌合される位置合わせ突部８ｇが突設されている。
【００１９】
前記バックル本体４は、灰色に着色された樹脂等により成形された上下二分割状の上カバー体１７と下カバー体１８とからなり、図９ないし図１１に示される如く、下カバー体１８のタング挿入口４ａ側に位置した幅方向両側部にはフック状の係合突部１８ａがそれぞれ突設されると共に、他端部側の中央部には幅方向に細長状とされたウエビング挿通孔１８ｂが形成され、このウエビング挿通孔１８ｂの内周面におけるタング挿入口４ａ側に係止段部１８ｃが凹設されている。
【００２０】
また、図１２ないし図１４に示される如く、上カバー体１７のタング挿入口４ａ周縁部の両側下部に、前記係合突部１８ａが係脱自在に係合される係合孔１７ａがそれぞれ形成されると共に、他端部側の中央部には前記ウエビング挿通孔１８ｂに対応して幅方向に細長状とされたウエビング挿通孔１７ｂが形成され、このウエビング挿通孔１７ｂの周縁部下面におけるタング挿入口４ａ側に前記係止段部１８ｃに係脱自在に係止されるフック状の係止片部１７ｃが下向きに突設されている。
【００２１】
そして、下カバー体１８の両係合突部１８ａを上カバー体１７の両係合孔１７ａに係合させた状態で、係止段部１８ｃに係止片部１７ｃを係止させることにより、上カバー体１７と下カバー体１８とが互いに連結されるように構成されている。この連結によって、図４ないし図７に示される如く、両ウエビング挿通孔１７ｂ、１８ｂが互いに連通状となるように構成されると共に、タング挿入口４ａの内部側に各タング部７ｃ、８ｃが重合されて挿入されるタング挿入路４ｃが構成される。
【００２２】
また、下カバー体１８の中央付近にはイジェクタ保持溝部１８ｆが設けられており、イジェクタ１５の組み付け時にガイドするため、イジェクタ保持溝部１８ｆのタング挿入口４ａ側はテーパ状に形成されている。
【００２３】
前記フック部材１４は、赤色に着色された樹脂等により成形されてなり、図４ないし図７、図１６ないし図１９に示される如く、前記タング挿入路４ｃを挟んで対向配置された下側のフック本体部１４ｂおよび上側の解除操作部１４ｃと、フック本体部１４ｂと解除操作部１４ｃとをタング挿入口４ａの反対側に位置する基端部で互いに連結する連結保持部１４ｄと、フック本体部１４ｂと解除操作部１４ｃとをタング挿入口４ａ側の両側部でそれぞれ外側方に膨出状として互いに連結する膨出連結部１４ｅとを備える。
【００２４】
そして、フック本体部１４ｂのタング挿入口４ａ側端部上面に前記フック部１４ａが幅方向に適宜長さを有して突設されている。
【００２５】
また、連結保持部１４ｄの両側面には、外側方に突出する支持翼部１４ｆがそれぞれ突設され、各支持翼部１４ｆのタング挿入口４ａ側端面はタング挿入口４ａ方向に膨出する円弧状に形成されている。そして、フック部材１４がバックル本体４内に収納された状態において、図７に示される如く、各支持翼部１４ｆは、下カバー体１８の両側部にそれぞれ備えられた翼支持面１８ｄと、上カバー体１７の両側部にそれぞれ備えられた翼支持面１７ｄとの間で支持され、また、各支持翼部１４ｆの前記円弧状部分は各翼支持面１７ｄより下方に延設された支持壁面１７ｅに摺動自在に当接して支持されるように構成されている。
【００２６】
そして、上下の翼支持面１７ｄと翼支持面１８ｄとの相互間で支持翼部１４ｆが支持されて、支持翼部１４ｆの前記円弧状部分と支持壁面１７ｅとの相対摺動を介してフック部材１４のタング挿入口４ａ側が揺動可能とされ、ここに、フック部材１４の基端部がバックル本体４に揺動可能に支持される。
【００２７】
また、フック部１４ａ下側に対応する下カバー体１８の上面側には、バネ受凹部１８ｅが形成されており、このバネ受凹部１８ｅとフック本体部１４ｂ下面との間に戻しバネ部材としての円すいコイルバネ２０が装着されている。そして、円すいコイルバネ２０の弾発力により、支持翼部１４ｆを揺動中心としてフック部材１４を上昇復帰するように弾発付勢しており、ここに、フック部１４ａがタング挿入路４ｃに臨出する方向に、フック部材１４が常時付勢されている。
【００２８】
このフック部材１４の基端部を中心として揺動される上昇位置は、フック部材１４両側の膨出連結部１４ｅが上カバー体１７に形成された操作開口部１７ｆ周縁部の下面に当接することにより所定位置で停止される。また、操作開口部１７ｆは、解除操作部１４ｃに対応した大きさ・形状に形成されており、前記膨出連結部１４ｅが操作開口部１７ｆ周縁部の下面に当接した状態で、解除操作部１４ｃは操作開口部１７ｆに内側より遊嵌状に嵌合すべく配置され、外部に臨出した構造とされる。
【００２９】
そして、操作開口部１７ｆから臨出した解除操作部１４ｃを円すいコイルバネ２０の弾発力に抗して押し込み操作することにより、図７に示される如く、フック部材１４が基端部である支持翼部１４ｆ側を中心として揺動され、フック部１４ａがタング挿入路４ｃより下方に退避するように構成されている。
【００３０】
また、フック部材１４のタング挿入口４ａに対向する連結保持部１４ｄには、図１９にも示される如く、イジェクタ１５を揺動可能に保持するインジェクタ保持孔１４ｇが形成されており、タング部７ｃ、８ｃの挿入方向に沿ってイジェクタ１５が往復移動自在に支持されるように構成されている。
【００３１】
そして、このイジェクタ１５と上カバー体１７に装着されたバネ受体２２との相互間にわたって、押出バネ部材としての円筒コイルバネ２３が圧縮状に装着されており、イジェクタ１５をタング挿入路４ｃに進出する方向、即ちタング部７ｃ、８ｃの押出方向に弾発付勢する構造とされている。
【００３２】
このバネ受体２２が装着される位置に対応した操作開口部１７ｆとウエビング挿通孔１７ｂとの間に位置した上カバー体１７には、幅方向に長い楕円状の表示窓としての表示開口部１７ｇが形成されており、バックル本体４の外部より表示開口部１７ｇを通じてバネ受体２２の上面一部が視認可能に構成されている。
【００３３】
即ち、バネ受体２２は、赤色に着色された樹脂により成形されてなり、図２０ないし図２２にも示される如く、表示開口部１７ｇの両側部に形成された嵌合凹部１７ｈに押し込み嵌入される張出部２２ａを両側にそれぞれ備えると共に、幅方向中央部の下面側に円筒コイルバネ２３の一端部が嵌合状に保持される半割れ筒状のバネ保持部２２ｂが備えられている。そして、各張出部２２ａが上カバー体１７の両嵌合凹部１７ｈに押し込み嵌合されることにより、バネ受体２２が上カバー体１７の内面側に装着されて固定され、この装着状態において、表示開口部１７ｇに対向する位置のバネ受体２２上面の第１の標識としての赤色が、表示開口部１７ｇを通じて外部から視認可能とされる。なお、バネ保持部２２ｂの下側に対向する下カバー体１８の上面には、バネ保持部２２ｂに保持される円筒コイルバネ２３の下方への離脱を防止すべく、バネ保持部２２ｂの近傍まで突出されたバネ押さえ部１８ｇが備えられている。
【００３４】
また、このバネ受体２２の装着状態において、バネ受体２２の上面と上カバー体１７の下面とはタング部７ｃ、８ｃの挿入方向に対して所定の間隙を有して配置された構造とされ、バネ受体２２のタング挿入口４ａと反対側の端面は係止片部１７ｃ上部の上カバー体１７内壁面に当接状とされている。
【００３５】
前記イジェクタ１５は、緑色に着色された樹脂により成形されてなり、図２３ないし図２６にも示される如く、フック部材１４のインジェクタ保持孔１４ｇ内に嵌合されてタング部７ｃ、８ｃの挿入方向に沿って往復移動自在に案内支持される角柱状のタング押出部１５ａと、タング押出部１５ａにおけるタング挿入口４ａと反対側の端部より両側方に張出形成された進出規制壁部１５ｂと、タング押出部１５ａにおけるタング挿入口４ａと反対側の上端部よりバネ受体２２方向に延設されると共に、バネ受体２２の上面と上カバー体１７の下面の間隙にスライド移動自在に挿入される第２の標識としての緑色のロック表示部１５ｃと、タング押出部１５ａにおけるタング挿入口４ａと反対側の幅方向中央部下面より下向きに延設されると共に、下カバー体１８に備えられた前記イジェクタ保持溝部１８ｆ内に案内支持される半円柱状のガイド部１５ｄとを備え、タング押出部１５ａには、バネ受体２２側よりタング挿入口４ａ方向の円形状のバネ保持孔１５ｅが形成され、円筒コイルバネ２３の他端部が挿入状に保持されている。ここに、イジェクタ１５は第２の標識としてのロック表示部１５ｃを備えた係止表示部材を構成する。
【００３６】
そして、図６に示される如く、タング部７ｃ、８ｃの非挿入状態で、円筒コイルバネ２３の弾発力によりイジェクタ１５がタング挿入口４ａ方向に押し出された進出状態においては、両側の進出規制壁部１５ｂのタング挿入口４ａ側の当接面１５ｆが、連結保持部１４ｄのタング挿入口４ａと反対側の傾斜面１４ｈに、フック部材１４の揺動軸心と略平行な直線の線接触状態で当接されている。この際、イジェクタ１５のガイド部１５ｄはイジェクタ保持溝部１８ｆのタング挿入口４ａ側の面に当接され、両側の進出規制壁部１５ｂの両側面およびロック表示部１５ｃの両側面は、フック部材１４の連結保持部１４ｄの互いに対向する内側面に摺動自在に保持され、両側の進出規制壁部１５ｂ下面はイジェクタ保持溝部１８ｆの両側上面にそれぞれ摺動自在に載置状態で支持され、ロック表示部１５ｃはバネ受体２２の上面と上カバー体１７の下面との間隙にスライド移動自在に保持されており、ここに、イジェクタ１５はタング部７ｃ、８ｃの挿入方向に沿って往復移動自在に保持された状態とされている。
【００３７】
また、イジェクタ１５のロック表示部１５ｃは、バネ受体２２の上面と上カバー体１７の下面との間隙にスライド移動自在に挿入された状態で、かつ表示開口部１７ｇの位置よりタング挿入口４ａ方向に退避した位置に配置されている。
【００３８】
そして、図７に示される如く、フック部材１４が解除操作のために揺動操作された際、解除操作部１４ｃ下面とタング押出部１５ａ上面とが相互に干渉しないように回避間隙としての適宜空間を有してイジェクタ１５はフック部材１４のインジェクタ保持孔１４ｇに保持され、ここに、フック部材１４はイジェクタ１５とは独立して揺動自在に配置され、イジェクタ１５は連結保持部１４ｄおよびインジェクタ保持孔１４ｇの案内下、前記スライド移動方向のみに移動自在に支持された構成とされている。
【００３９】
また、タング部８ｃの係止溝８ｆとフック部材１４のフック部１４ａとが係止されたタング部７ｃ、８ｃの挿入状態においては、イジェクタ１５がタング挿入路４ｃから退避移動されて、図４に示される如く、ロック表示部１５ｃが表示開口部１７ｇに対向するバネ受体２２上に移動して、表示開口部１７ｇに対向する位置に位置され、表示開口部１７ｇからロック表示部１５ｃが露出して外部から第２の標識としての緑色が視認可能に構成されている。
【００４０】
この際、バネ受体２２の上面は、図２２に示される如く、適宜半径Ｒ１を有した上向膨出状のイジェクタ１５のスライド移動方向に延びる凸条面とされ、バネ受体２２と対向する上カバー体１７の下面は、図１５に示される如く、適宜半径Ｒ２を有した下向膨出状のイジェクタ１５のスライド移動方向に延びる凸条面とされている。
【００４１】
これに対し、バネ受体２２の上面と上カバー体１７の下面との間隙に出退自在に移動されるイジェクタ１５のロック表示部１５ｃにおけるその下面および上面は、図２５に示される如く、バネ受体２２や上カバー体１７の凸条面に対応した適宜半径Ｒ３、Ｒ４を有したスライド移動方向に延びる溝状の凹面とされており、各面が互いに相対摺動自在に構成されている。
【００４２】
本実施形態は以上のように構成されており、図５に示される如く、各タング部７ｃ、８ｃの非挿入状態、即ち、バックル本体４とタング部材７、８の非係止状態においては、バックル本体４の表示開口部１７ｇにバネ受体２２上面の赤色が出現している。そして、左右の両タング部材７、８のタング部７ｃ、８ｃを互いに重合状として、バックル本体４のタング挿入口４ａを通じてタング挿入路４ｃに挿入していけば、タング部７ｃ、８ｃの挿入端とタング挿入路４ｃに臨出しているフック部１４ａとが当接する。
【００４３】
その後さらに挿入していけば、タング部７ｃ、８ｃによりフック部１４ａが円すいコイルバネ２０の弾発力に抗して押し下げられ、図７に示される如く、タング挿入路４ｃから退避すべく、フック部材１４が基端部である支持翼部１４ｆを中心として下向きに揺動される。
【００４４】
この際、フック部材１４における連結保持部１４ｄの傾斜面１４ｈと、イジェクタ１５における進出規制壁部１５ｂの当接面１５ｆとが、線接触状態で当接されているため、相対的に揺動自在であり、またイジェクタ１５は円筒コイルバネ２３によってもタング挿入路４ｃ進出方向に常時付勢されているため、フック部材１４の揺動に際してイジェクタ１５が一体的に揺動せず、タング挿入口４ａに対向する略一定の姿勢で維持される。
【００４５】
その後、タング部７ｃ、８ｃの挿入端は、タング挿入路４ｃに進出状態のイジェクタ１５に当接し、さらに挿入していけば、フック部材１４のインジェクタ保持孔１４ｇおよび連結保持部１４ｄの案内下、円筒コイルバネ２３の付勢力に抗してタング挿入路４ｃから退避移動され、その後、タング部８ｃの係止溝８ｆとフック部１４ａとが合致した位置で、円すいコイルバネ２０に蓄勢された弾発力によりフック部材１４が基端部を中心に上向きに揺動され、図４に示される如く、フック部１４ａと係止溝８ｆとが係止した係止状態が得られる。
【００４６】
この係止動作に連動して、タング部７ｃ、８ｃによって押し込まれ退避移動したイジェクタ１５のロック表示部１５ｃは、表示開口部１７ｇとバネ受体２２との間隙を通じて表示開口部１７ｇに対向するバネ受体２２上にスライド移動し、ロック表示部１５ｃ上面の緑色が表示開口部１７ｇに出現する。ここに、係止溝８ｆとフック部１４ａとの係止状態が、表示開口部１７ｇに出現する色によって視覚により容易に確認できる。
【００４７】
次に、この係止状態を解除する場合には、操作開口部１７ｆに臨出している解除操作部１４ｃのタング挿入口４ａ側を円すいコイルバネ２０の弾発力に抗して押し込み操作すれば、フック部材１４が基端部を中心として下向きに揺動し、この揺動によってフック部１４ａがタング挿入路４ｃから退避し、フック部１４ａと係止溝８ｆとの係止状態が解除される。ここに、解除操作部１４ｃを備えたフック部材１４は係止状態を解除操作する解除操作装置を構成する。
【００４８】
この係止状態の解除により、円筒コイルバネ２３に蓄勢された弾発力により弾発付勢されているイジェクタ１５がタング挿入路４ｃに進出する方向に押し出され、このイジェクタ１５の進出によりタング部７ｃ、８ｃがタング挿入口４ａより押し出され、初期状態に復帰する。そして、イジェクタ１５の初期状態の復帰により、表示開口部１７ｇに対向するバネ受体２２上よりロック表示部１５ｃが退避し、表示開口部１７ｇにバネ受体２２上面の赤色が出現する。
【００４９】
以上のように、第１の標識としてのバネ受体２２と第２の標識としてのロック表示部１５ｃとが別部材とされ、タング部材７、８が挿入されていない非係止状態においては、表示開口部１７ｇに第１の標識としてのバネ受体２２上面の赤色が出現しており、バックル本体４に対するタング部材７、８の係止動作に連動して、ロック表示部１５ｃがバネ受体２２上面を覆うようにして重合状にスライド移動され、第２の標識としてのロック表示部１５ｃ上面の緑色が表示開口部１７ｇに出現する構造とされており、固定状態とされたバネ受体２２上面の第１の標識上に、第２の標識としてのロック表示部１５ｃが出退自在にスライド移動するだけでよく、第１の標識の移動スペースを別途確保する必要がなく、コンパクトに構成できる。従って、バックル装置におけるインジケータによる表示位置の制限が緩和でき、表示開口部１７ｇをバックル装置の任意の位置に設定できる利点がある。
【００５０】
また、チャイルドシート１にあっては、その使用時にバックル装置が子供の体に密着するように配置されるため、表示開口部１７ｇに表示される標識の色が確認し難いが、ロック表示部１５ｃの上面が凹面状とされているため、表示開口部１７ｇを通じてロック表示部１５ｃを視認する際、視認できる範囲が広がり、視認性が良好となり、比較的小さな表示開口部１７ｇであっても広い範囲で視認でき、係止状態の確認作業がより容易となる。
【００５１】
さらに、イジェクタ１５がフック部材１４の連結保持部１４ｄに形成されたインジェクタ保持孔１４ｇおよび両側の連結保持部１４ｄ内側面によって、タング部７ｃ、８ｃの挿入方向に沿って往復移動自在に案内されると共に、相対的に揺動自在に構成されているため、イジェクタ１５を案内するガイド部材を別途設ける必要がなく、イジェクタ１５を弾発付勢する円筒コイルバネ２３の他端側もバックル本体４の内壁部側で容易に固定保持でき、小型で安価な簡単な構造のバックル装置が提供できるという利点もある。
【００５２】
また、フック部材１４の揺動に際してイジェクタ１５が一体的に揺動せず、イジェクタ１５がタング挿入口４ａに対向する略一定の姿勢で維持される利点もある。
【００５３】
さらに、第１の標識を構成するバネ受体２２と第２の標識を構成するイジェクタ１５とフック部材１４とがそれぞれ独立した構造であり、非係止状態にあっては、バックル本体４側に固定状態とされた第１の標識としてのバネ受体２２上面が表示開口部１７ｇに出現しており、また、係止状態にあっては、フック部材１４による案内下、バネ受体２２上をスライド移動するイジェクタ１５の第２の標識としてのロック表示部１５ｃ上面が表示開口部１７ｇに出現する構造であり、表示開口部１７ｇに出現するバネ受体２２やロック表示部１５ｃの姿勢が、フック部材１４の姿勢に左右されずに、安定して得られ、視認性が良好に得られる利点がある。
【００５４】
また、フック部材１４の解除操作部１４ｃ下面とイジェクタ１５のタング押出部１５ａ上面とが相互に干渉しないように回避間隙としての適宜空間を有しているため、フック部材１４はイジェクタ１５に対し独立して解除操作方向に揺動自在であり、フック部材１４の姿勢に左右されずに、イジェクタ１５の姿勢が安定し、従って、円筒コイルバネ２３によるイジェクタ１５の付勢方向がタング挿入路４ｃの進出方向となり、フック部材１４の解除操作力に何ら影響を与えず、イジェクタ１５によるタング部７ｃ、８ｃの押出力が常に良好に発揮できる。
【００５５】
さらに、解除操作部１４ｃをフック部材１４に一体に備えた構造であり、部品点数の削減が図れ、イジェクタ１５と円筒コイルバネ２３の追加によって容易にイジェクタ機構が提供でき、この点からも小型で安価な簡単な構造のイジェクタ機構付きのバックル装置が提供できる。
【００５６】
また、イジェクタ１５の組み付け時に、イジェクタ保持溝部１８ｆのテーパ部分がイジェクタ１５のガイド部１５ｄを案内するため、組み付けやすい利点もある。
【００５７】
なお、上記実施形態において、第１の標識としてのバネ受体２２を赤色とし、第２の標識としてのロック表示部１５ｃを緑色とした構造を示しているが、これらの色彩に限られず、互いに異なる色彩であればよい。また、第１の標識や第２の標識は異なる色彩に限られず、互いに異なる文字や模様等の異なる文様としてもよい。
【００５８】
【発明の効果】
以上のように、本発明のインジケータ付きバックル装置によれば、バックル本体に収納され、タング部の挿入時にタング部と当接して退避移動されるイジェクタと、イジェクタの退避移動の方向に対向してバックル本体内に固定されたバネ受体と、一端部がイジェクタに支持されると共に他端部がバネ受体に支持され、イジェクタをタング部の押出方向に弾発付勢する押出バネ部材と、係止状態から非係止状態に解除操作するための解除操作装置とを備え、バネ受体に、表示窓に対向する位置に配置されると共に、非係止状態で表示窓に出現する第１の標識が備えられ、イジェクタに、第１の標識と異なる色彩もしくは文様を有すると共に、退避移動により第１の標識上にスライド移動され、かつ係止状態で表示窓に出現する第２の標識が備えられ、解除操作装置に、イジェクタが、解除操作装置の解除操作に対して相互干渉を回避する回避間隙を有し、かつスライド移動方向のみに移動自在に支持されたものであり、固定されたバネ受体の第１の標識上にイジェクタの第２の標識が出退自在にスライド移動するだけでよく、第１の標識の移動スペースを別途確保する必要がなく、コンパクトに構成でき、従って、表示窓による表示位置の制限が緩和でき、表示窓をバックル装置の任意の位置に設定できるという利点がある。
【００５９】
また、非係止状態にあっては、固定されたバネ受体の第１の標識が表示窓に出現しており、係止状態にあっては、解除操作装置による案内下、第１の標識上をスライド移動されるイジェクタの第２の標識が表示窓に出現する構造であり、表示窓に出現する第１の標識および第２の標識の姿勢が解除操作装置の姿勢に左右されずに安定して得られ、視認性が良好に得られるという利点がある。
さらに、解除操作装置に、解除操作装置の解除操作に対して、イジェクタとの相互干渉を回避する回避間隙を有し、かつイジェクタをスライド移動方向のみに移動自在に支持する構造としているため、イジェクタを案内するガイド部材を別途設ける必要がないという利点もある。
【００６０】
さらに、第２の標識における表示窓との対向面が凹面状に形成されてなる構造とすれば、広い範囲で視認できて視認性が良好となり、確認作業がより容易となるという利点がある。
【図面の簡単な説明】
【図１】本発明の実施形態が採用された乳児用のチャイルドシートの全体斜視図である。
【図２】バックル装置の平面図である。
【図３】図２に示されるバックル装置の正面図である。
【図４】図２のＩＶ−ＩＶ線断面矢視図である。
【図５】バックル装置の動作説明断面図である。
【図６】バックル装置の動作説明断面図である。
【図７】バックル装置の動作説明断面図である。
【図８】左右のタング部材の組付説明図である。
【図９】下カバー体の平面図である。
【図１０】図９のＸ−Ｘ線断面矢視図である。
【図１１】図９に示される下カバー体の底面図である。
【図１２】上カバー体の断面正面図である。
【図１３】図１２に示される上カバー体の右側面図である。
【図１４】図１２に示される上カバー体の底面図である。
【図１５】図１２のＸＶ−ＸＶ線断面矢視図である。
【図１６】フック部材の正面図である。
【図１７】図１６に示されるフック部材の平面図である。
【図１８】図１６に示されるフック部材の底面図である。
【図１９】図１６に示されるフック部材の右側面図である。
【図２０】バネ受体の平面図である。
【図２１】図２０に示されるバネ受体の底面図である。
【図２２】図２０に示されるバネ受体の右側面図である。
【図２３】イジェクタの正面図である。
【図２４】図２３に示されるイジェクタの底面図である。
【図２５】図２３に示されるイジェクタの左側面図である。
【図２６】図２３に示されるイジェクタの右側面図である。
【符号の説明】
４  バックル本体
７、８  タング部材
７ｃ、８ｃ  タング部
１５ｃ  ロック表示部
１７  上カバー体
１７ｇ  表示開口部
２２  バネ受体
【図１】
0004008653.tif 000002
【図２】
0004008653.tif 000003
【図３】
0004008653.tif 000004
【図４】
0004008653.tif 000005
【図５】
0004008653.tif 000006
【図６】
0004008653.tif 000007
【図７】
0004008653.tif 000008
【図８】
0004008653.tif 000009
【図９】
0004008653.tif 000010
【図１０】
0004008653.tif 000011
【図１１】
0004008653.tif 000012
【図１２】
0004008653.tif 000013
【図１３】
0004008653.tif 000014
【図１４】
0004008653.tif 000015
【図１５】
0004008653.tif 000016
【図１６】
0004008653.tif 000017
【図１７】
0004008653.tif 000018
【図１８】
0004008653.tif 000019
【図１９】
0004008653.tif 000020
【図２０】
0004008653.tif 000021
【図２１】
0004008653.tif 000022
【図２２】
0004008653.tif 000023
【図２３】
0004008653.tif 000024
【図２４】
0004008653.tif 000025
【図２５】
0004008653.tif 000026
【図２６】
0004008653.tif 000027